(57)【要約】【課題】ＣＤを保持するための、低コストかつ簡易に一体型成形によってワンピースに作られるＣＤホルダを提供する。【解決手段】ＣＤホルダは、ＣＤを保持およびクリップして保管構造を提供するため、一体型成形によってワンピースに作られる。本考案は、プレート型のホルダボディ１０を有する。ホルダボディの一方の側部には、クリップフランジ１３１がある。クリップフランジの反対側に位置するホルダボディの他方の側部には、片持ばりアーム１４がある。片持ばりアームは、ラッチフラップ１４２１を有している。ラッチフラップおよびクリップフランジは、クリッピングゾーンを形成する。片持ばりアームは、通常状態において静的位置にあるとき、ホルダボディの平坦面に対して平行に動かされることができ、その結果、ＣＤの取り付けまたは取り外しを容易にするようにクリッピングゾーンを拡大する。【選択図】　　　　　　図１
0003096863.tif 000002
【実用新案登録請求の範囲】
【請求項１】
コンパクトディスクを保持するための一体型成形によってワンピースに作られるコンパクトディスクホルダであって、
正面側の平坦部および背面側の平坦部を備えるホルダボディと、
ホルダボディの一方の側部に設置されホルダボディの一方の平坦部に対して垂直方向に所定の高さで伸延している側壁であって、ホルダボディの中央の方へ平坦部に対して平行に伸延するクリップフランジを備え、前記クリップフランジは、コンパクトディスクの厚さに対応する距離だけ、ホルダボディの平坦部から間隔を置いて配置されてなる側壁と、
クリップフランジの反対側でホルダボディの他の側部に配置される片持ばりアームであって、ホルダボディに接続するための接続部およびコンパクトディスクを支持するための弾性部を備え、前記弾性部は、ホルダボディの中央の方へ平坦部に対して平行に伸延するとともにコンパクトディスクの厚さに対応する距離だけホルダボディの平坦部から間隔を置いて配置されるラッチフラップを備え、前記ラッチフラップは、前記クリップフランジとともにコンパクトディスクを通常状態にクリップするためのクリッピングゾーンを規定するクリップ位置を形成し、前記ラッチフラップは、コンパクトディスクの取り外しおよび取り付けを容易にする開放位置を形成すべくクリッピングゾーンを拡大するための力により、ホルダボディの平坦部に対して平行に外方へ移動可能に構成されてなる片持ばりアームと
を有するコンパクトディスクホルダ。
【請求項２】
前記ホルダボディの側壁は、少なくとも結合部を形成するために外方へ伸延され、前記結合部はラッチバーを有し、前記結合部のラッチバーが当該ラッチバーと接続するためのラッチドックに回動可能に連結されることにより、前記ホルダボディが前記ラッチドックに移動可能に取り付けられるようにしてなる請求項１に記載のコンパクトディスクホルダ。
【請求項３】
前記片持ばりアームの外方の側部に伸延するフェンダが形成され、前記フェンダと前記片持ばりアームとの間には、前記弾性部の移動可能な範囲を制限するための開口部が形成されてなる請求項１に記載のコンパクトディスクホルダ。
【請求項４】
前記ホルダボディの平坦部は、コンパクトディスクを所定の距離だけホルダボディの平坦部から間隔を置いて配置するための、中央に配置される少なくとも一つの突出部を有する請求項１に記載のコンパクトディスクホルダ。
【請求項５】
前記ホルダボディは、クリッピングゾーンから外方に伸延されて、当該ホルダボディを少なくとも一つのロッドに吊るための少なくとも一つのフックを形成してなる請求項１に記載のコンパクトディスクホルダ。
【請求項６】
前記弾性部は、ユーザの指により当該弾性部を動かすことを可能にするポーキングフラップを形成している外端部を有してなる請求項１に記載のコンパクトディスクホルダ。
【請求項７】
前記側壁および前記片持ばりアームは、ホルダボディの正面側の平坦部と背面側の平坦部とにそれぞれ形成され、正面側の平坦部と背面側の平坦部とにそれぞれ１つのコンパクトディスクを保持するように相互に対応して設けられる請求項１に記載のコンパクトディスクホルダ。
【考案の詳細な説明】
【０００１】
【考案の属する技術分野】
本考案は、コンパクトディスク（以下、「ＣＤ」ともいう。）を保持するためのコンパクトディスクホルダ（以下、「ＣＤホルダ」ともいう。）に関し、特に、一体型成形によってワンピースに作られるコンパクトディスクホルダに関する。
【０００２】
【従来の技術】
ＣＤは、例えば音楽、映画またはソフトウェアなどのデジタル化されたデータを記憶するために広く使われている記録媒体である。現在、通常に使われるＣＤは、直径約１２０ｍｍの円形のディスクであり、センタ穴を有している。センタ穴周辺には、約１５ｍｍ幅の中央使用不可領域がある。中央使用不可領域を越えた領域は、データ領域である。ディスクの外周の縁には、さらに、約１ｍｍ幅の使用不可領域がある。
【０００３】
一般的なＣＤ（すなわち音楽ディスクまたはソフトウェアディスク）の完成品は、傷あるいは損壊を避けるために、ＣＤカートリッジに入れられる。従来のＣＤカートリッジは、一般に、ベース、蓋、およびカップリングドックから構成されている。ベースおよび蓋は、射出成形によって、２つの構成部材となるように、それぞれ透明なプラスチックから作られる。蓋は、ベースに回動自在に係合される一つの側部を有しており、この結果、開閉され得るケースを形成することができる。
【０００４】
ＣＤの前面側のバックライト領域または背面側のデータ領域が傷あるいは損壊を受けることを防止すべく、カップリングドックが、コンパクトディスクをクリップするためにベース上に配置される。データ領域を損傷することなくＣＤをラッチするために、ラッチ領域は、ＣＤの中央使用不可領域に配置される。カップリングドックは、中央に、複数爪のチャックを有する。複数の爪を備えたチャックは、若干の弾力がある。ＣＤのセンタ穴が複数の爪を備えたチャック上に位置されて押下されると、複数爪のチャックは、ＣＤがＣＤカートリッジに据え付けられるように、ＣＤのセンタ穴を軽く押圧する。
【０００５】
ＣＤが複数爪のチャックに確実に保持されるのを可能にするために、複数爪のチャックは、頑丈に作られなければならない。それゆえに、ユーザは、ＣＤを取り付けまたは取り外しするために、相当な力を加えなければならない。このような操作は、ＣＤをゆがめ、あるいはこわしさえする傾向がある。
【０００６】
消費者は、音楽ディスクまたはソフトウェアディスクを買った後、一般に、ディスクを使用後に最初のディスクカートリッジに保管する。それから、ディスクカートリッジは、ＣＤラックに置かれる。複数のＣＤを保管し、取り出しまたは検索を容易にするＣＤコンテナもまた、存在する。このようなコンテナは、通常、複数のＣＤホルダを収容できる。取り出しおよび保管を容易にするために、ＣＤホルダは、一般に、複数爪のチャックを有しない。その代わりに、ＣＤホルダは、ＣＤを保持するために、周囲上のカップリング部を有している。
【０００７】
多くの異なる種類のＣＤカートリッジまたはコンテナが、開発され開示されている（たとえば、特許文献１〜６参照）。
【０００８】
たとえば、特許文献１は、ベース、蓋およびカップリングドックから構成されている「ディスク保管ケース（ＤＩＳＣ　ＳＴＯＲＡＧＥ　ＣＡＳＥ）」を開示する。このディスク保管ケースは、従来からなされるようにセンタ穴よりもむしろ周囲のリムにＣＤをクリップする。ここにおいて、カップリングドックは、複数爪のチャックを有していない。その代わりに、移動可能な押下部が使用される。押下部は、ＣＤの周囲の縁を押圧するための前エッジを有している。ユーザは、ＣＤが取り外しあるいは保管されるように、押下部の後リムを鉛直方向に押下して、押下部の前エッジを上方に移動させることができる。このディスク保管ケースは、複数爪のチャックを有しない一方で、まだカートリッジ型に作られて、多くの構成部材を有している。そして、生産および組立のコストはより高目である。
【０００９】
別の例として、「ばね部材を備えたディスク保管装置（ＤＩＳＫ　ＳＴＯＲＡＧＥ　ＤＥＩＶＣＥ　ＷＩＴＨ　ＳＰＲＩＮＧ　ＥＬＥＭＥＮＴ）」という名称の特許文献４がある。これもまた、ベース、蓋およびカップリングドックを含む少なくとも３つの主要な構成部材から構成されている。カップリングドックは、中央のフックと、底リム上のばねを有している。ＣＤを取り外しおよび取り付けるためには、ユーザは、ＣＤのセンタ穴がＣＤを据え付けるためのフックにラッチされ得るように、ＣＤの周縁をばねの方へ押してばねを圧縮するために、一方の手でＣＤの周囲をつかみ他方の手でベースを保持しなければならない。このディスク保管装置は、据え付けのために、ＣＤの中央使用不可領域を用いる。そして、生産工程はきわめて複雑で、コストはより高目である。
【００１０】
【特許文献１】
米国特許第５５３３６１５号明細書
【特許文献２】
米国特許第５６８５４２５号明細書
【特許文献３】
米国特許第５８４５７７１号明細書
【特許文献４】
米国特許第５９２４５６４号明細書
【特許文献５】
米国特許第５９３８０２０号明細書
【特許文献６】
米国特許第６２８３２８５号明細書
【００１１】
【考案が解決しようとする課題】
本考案は、上述した従来技術の課題を解決するためになされたものであり、本考案の主目的は、コンパクトディスクを保持するための、低コストかつ簡易に一体型成形によってワンピースに作られるコンパクトディスクホルダを提供することである。
【００１２】
【課題を解決するための手段】
本考案は、上述した従来技術で採用されている一般的なコンパクトディスク保持方法とは異なる設計を用いている。
【００１３】
本考案の目的は、下記する手段により達成される。
【００１４】
（１）コンパクトディスクを保持するための一体型成形によってワンピースに作られるコンパクトディスクホルダであって、正面側の平坦部および背面側の平坦部を備えるホルダボディと、ホルダボディの一方の側部に設置されホルダボディの一方の平坦部に対して垂直方向に所定の高さで伸延している側壁であって、ホルダボディの中央の方へ平坦部に対して平行に伸延するクリップフランジを備え、前記クリップフランジは、コンパクトディスクの厚さに対応する距離だけ、ホルダボディの平坦部から間隔を置いて配置されてなる側壁と、クリップフランジの反対側でホルダボディの他の側部に配置される片持ばりアームであって、ホルダボディに接続するための接続部およびコンパクトディスクを支持するための弾性部を備え、前記弾性部は、ホルダボディの中央の方へ平坦部に対して平行に伸延するとともにコンパクトディスクの厚さに対応する距離だけホルダボディの平坦部から間隔を置いて配置されるラッチフラップを備え、前記ラッチフラップは、前記クリップフランジとともにコンパクトディスクを通常状態にクリップするためのクリッピングゾーンを規定するクリップ位置を形成し、前記ラッチフラップは、コンパクトディスクの取り外しおよび取り付けを容易にする開放位置を形成すべくクリッピングゾーンを拡大するための力により、ホルダボディの平坦部に対して平行に外方へ移動可能に構成されてなる片持ばりアームとを有するコンパクトディスクホルダ。
【００１５】
このように、本考案によるＣＤホルダは、一方の側部にクリップフランジとクリップフランジの反対側の他方の側部に片持ばりアームとを有するホルダボディを含んでいる。片持ばりアームは、ラッチフラップを有する。ラッチフラップおよびクリップフランジは、ＣＤを保持するためのクリッピングゾーンを形成する。片持ばりアームは、通常状態において静的位置にあるとき、クリッピングゾーンを拡大するように、ホルダボディの平坦面に対して平行な方向に動かされることができ、ＣＤの取り付けまたは取り外しを可能にする。
【００１６】
（２）前記ホルダボディの側壁は、少なくとも結合部を形成するために外方へ伸延され、前記結合部はラッチバーを有し、前記結合部のラッチバーが当該ラッチバーと接続するためのラッチドックに回動可能に連結されることにより、前記ホルダボディが前記ラッチドックに移動可能に取り付けられるようにしてなる上記（１）に記載のコンパクトディスクホルダ。
【００１７】
（３）前記片持ばりアームの外方の側部に伸延するフェンダが形成され、前記フェンダと前記片持ばりアームとの間には、前記弾性部の移動可能な範囲を制限するための開口部が形成されてなる上記（１）に記載のコンパクトディスクホルダ。
【００１８】
（４）前記ホルダボディの平坦部は、コンパクトディスクを所定の距離だけホルダボディの平坦部から間隔を置いて配置するための、中央に配置される少なくとも一つの突出部を有する上記（１）に記載のコンパクトディスクホルダ。
【００１９】
（５）前記ホルダボディは、クリッピングゾーンから外方に伸延されて、当該ホルダボディを少なくとも一つのロッドに吊るための少なくとも一つのフックを形成してなる上記（１）に記載のコンパクトディスクホルダ。
【００２０】
（６）前記弾性部は、ユーザの指により当該弾性部を動かすことを可能にするポーキングフラップを形成している外端部を有してなる上記（１）に記載のコンパクトディスクホルダ。
【００２１】
（７）前記側壁および前記片持ばりアームは、ホルダボディの正面側の平坦部と背面側の平坦部とにそれぞれ形成され、正面側の平坦部と背面側の平坦部とにそれぞれ１つのコンパクトディスクを保持するように相互に対応して設けられる上記（１）に記載のコンパクトディスクホルダ。
【００２２】
本考案の付加的な目的、特徴、および利点とともに、上述したことは添付の図面を参照しながら進める以下の詳細な説明からより容易に明らかとなる。
【００２３】
【考案の実施の形態】
以下、図面を参照して、本考案の実施の形態を説明する。
【００２４】
本考案のコンパクトディスクホルダは、ＣＤカートリッジ、ＣＤポーチないしＣＤケースを使用する従来の技術とは異なる構造を用いることによって、コンパクトディスクを持ち運びおよびクリップすることを狙ったものである。以下に説明される本考案の実施形態はすべて、付加的な組立工程なしで、ＣＤを収容するための一体型方式の新規なＣＤホルダを作るために、プラスチックの射出成形技術を使用する。
【００２５】
普通のＣＤ２０（図３参照）は一般に円形に形成される一方で、不規則な形に作られるＣＤもまた存在する。ＣＤの形が何であっても、ＣＤは、通常、ＣＤ２０をクリップして据え付けるために、中央に形成されたセンタ穴２１を有している。本考案は、ＣＤ２０の周縁をクリップする技術を提供する。本考案は、円形のＣＤおよび他の様々な幾何学形状のＣＤをクリップするために採用され得る。
【００２６】
（第１実施形態）
図１および図２を参照して、本考案のＣＤホルダは、ホルダボディ１０を有しており、ホルダボディ１０は、正面側の平坦部１０１および背面側の平坦部１０２を備えてプレート型に形成されている。ＣＤは、一般に円形である。ホルダボディ１０は、ＣＤの形に適合させられており、円形、あるいは他の所望される幾何学形状であるかもしれない。ホルダボディ１０は、ＣＤの外径よりも大きい縦の長さを有する。ホルダボディ１０の中央に、突出部１１が存在しており、突出部１１は、連続的な一片であるか、あるいはドット要素から構成されたものであるかもしれない。ＣＤ２０がホルダボディ１０に取り付けられるとき、ＣＤ２０は、ホルダボディ１０とＣＤ２０の表面との間での摩擦ないし傷を防止すべく、突出部１１に寄り掛かって、所定の距離だけホルダボディ１０から間隔を置いて配置されてもよい。なお、図中符号１２は、切欠部を示す。
【００２７】
ホルダボディ１０は、その長手方向の一方の側部に、側壁１３を有している。側壁１３は、ホルダボディ１０の平坦部に対して垂直であり、所定の高さで伸延している。側壁１３は、ホルダボディ１０の中央の方へ横に伸延しているクリップフランジ１３１を有しており、クリップフランジ１３１はホルダボディ１０の平坦面と平行である。クリップフランジ１３１は、ＣＤ２０の厚さに対応する所定の高さだけ、ホルダボディ１０から間隔を置いて配置されており、ＣＤ２０の一方の外縁をクリップすることができる。本明細書において、ＣＤの厚さに対応する高さ（距離）とは、より具体的には、ＣＤの厚さと略一致し、かつＣＤ２０の厚さよりもわずかに大きい高さ（距離）のことである。
【００２８】
ホルダボディ１０は、さらに、クリップフランジ１３１の反対側で他の側部に配置される片持ばりアーム１４を有している。片持ばりアーム１４は、ホルダボディ１０に接続される接続部１４１を形成している一端と、弾性部１４２を形成している他端とを有している。プラスチックの特性のため、弾性部１４２は、通常状態においては、静的位置のままである。しかし、弾性部１４２は、力を受けるとき、わずかに動かされ得る。力が解放されるときに、弾性部１４２は、通常状態における静的位置へ戻る。片持ばりアーム１４は、ホルダボディ１０の一方の側部から延長されており、弾性部１４２がホルダボディ１０に対して横に移動できるようになっている。弾性部１４２は、さらに、ラッチフラップ１４２１を有しており、ラッチフラップ１４２１は、ＣＤ２０の厚さに対応する高さだけ、ホルダボディ１０から間隔を置いて配置されており、ホルダボディ１０の中央の方へ横に移動可能である。
【００２９】
弾性部１４２は、ポーキングフラップ１４２２を形成している外側部を有しており、ユーザの指が弾性部１４２を動かすことができるようになっている。ラッチフラップ１４２１およびクリップフランジ１３１は、ＣＤ２０の外周縁を保持するためのクリッピングゾーン（すなわちＣＤ２０の直径と同じもの）を形成する。このように、弾性部１４２は、ラッチフラップ１４２１が通常状態におけるクリッピングゾーンのクリップ位置を形成し、力の下でクリッピングゾーンを拡大する開放位置に拡張されることを可能にする。クリップ位置において、ラッチフラップ１４２１およびクリップフランジ１３１は、ＣＤ２０をクリップおよび保持することができ、ホルダボディ１０上に据え付けることができる。開放位置において、クリッピングゾーンは拡大され、ＣＤ２０がホルダボディ１０に対して取り付け、または取り外しできるようになる。
【００３０】
図３および図４を参照して、ＣＤホルダ上にＣＤ２０に装填するとき、まず、ＣＤ２０の一方の側部を、クリップフランジ１３１の中に、わずかに付勢するようにして差し込む。次に、指でポーキングフラップ１４２２を動かして、弾性部１４２を動かし、ＣＤ２０を完全にホルダボディ１０に取り付けるべくクリッピングゾーンを拡大するために、ラッチフラップ１４２１を開放位置の方へ、横に（ホルダボディの平坦面に対して平行な方向に）外方へ動かす。そして、弾性部１４２を解放すると、それは通常位置へ戻る。ラッチフラップ１４２１は、ＣＤ２０の他の側部をクリップする。このように、クリップフランジ１３１およびラッチフラップ１４２１は、ホルダボディ１０にしっかりとＣＤ２０を据え付けるために、協働してＣＤ２０の外縁をクリップする。
【００３１】
（第２実施形態）
上述した第１実施形態のＣＤホルダは、１つのＣＤ２０を保持するための一方の側部を備えたホルダボディ１０を有している。本考案の第２実施形態は、２つのＣＤ２０を保持するためのＣＤホルダを提供する。図５に示すように、ホルダボディ１０は、一対の片持ばりアーム１４および一対のクリップフランジ１３１を有する。片持ばりアーム１４およびクリップフランジ１３１の一方のセットは、所定の高さだけ平坦面から間隔を置いて配置されるクリップフランジ１３１およびラッチフラップ１４２１をともなって、ホルダボディ１０の一方の側に設置される。片持ばりアーム１４およびクリップフランジ１３１の他方のセットは、所定の高さだけ反対側の平坦面から間隔を置いて配置されるクリップフランジ１３１およびラッチフラップ１４２１をともなって、ホルダボディ１０の反対側に設置される。片持ばりアーム１４およびクリップフランジ１３１のこれらの２つのセットは、ＣＤホルダの正面側の平坦部１０１および背面側の平坦部１０２が、一緒になって２つのＣＤ２０を保持可能なように、それぞれＣＤ２０をクリップすることができる。
【００３２】
さらに多くの実施形態が以下に説明される。それらはすべて、２つのＣＤ２０を保持するための、一対の片持ばりアーム１４および一対のクリップフランジ１３１を有する設計を採用している。
【００３３】
（第３実施形態）
本考案の第３実施形態のために、図６および図７を参照する。ホルダボディ１０は、側壁１３の最外方の側部に配置される結合部１５１を有している。結合部１５１は、ノッチ１５１１およびラッチバー１５１２を有する。
【００３４】
図８を参照して、結合部１５１は、ホルダボディ１０がケース３０に収容されるのを可能にするように設計されている。ケース３０は、相互に連結され開閉可能な上ケース３１と下ケース３２とを含んでいる。上ケース３１および下ケース３２は、一般に、ＣＤの運搬を容易にするためにファスナあるいは同等物（図示せず）によって、連結されて閉じられる。上ケース３１および下ケース３２は、そこに設置されるラッチドック３３を備えた接続部を有している。ラッチドック３３は、結合部１５１に対応する複数のラッチ爪３３１を有する。結合部１５１のラッチバー１５１２は、押下されてラッチ爪３３１に連結され得る。このように、ホルダボディ１０は、ラッチドック３３に取り付けられて、複数のホルダボディ１０がケース３０に保持され得るようにラッチバー１５１２のまわりで回動可能である。このような回動可能な設計によって、ユーザは、便利に、要求されたＣＤ２０を検索して取り外すことができる。もちろん、ホルダボディ１０はまた、力を加えて結合部１５１をラッチ爪３３１から分離することによって、ケース３０から取り外されてもよい。
【００３５】
（第４実施形態）
上述した第３実施形態は、１つの結合部１５１のみを有する。図９および図１０を参照して、本考案の第４実施形態は、結合部１５１の２つのセットを有している。ラッチドック３３のラッチ爪３３１も、結合部１５１に対応するように、対となって形成される。このような設計は、ホルダボディ１０がケース３０にしっかりと保持されるのを可能にする。
【００３６】
（第５実施形態）
本考案の第５実施形態のために、図１１を参照する。ホルダボディ１０の片持ばりアーム１４の最外方の側部に、フェンダ１６が設けられる。フェンダ１６は、ユーザが要求されたＣＤを素早く認識できるように、ＣＤ２０の内容を示すラベル（図示せず）を接着するための、外方の側部に扁平面１６１を有する。フェンダ１６およびホルダボディ１０の間に、刻まれた開口部１６３が存在しており、弾性部１４２の過度の変形および割れを防止できるように、弾性部１４２の最大移動可能空間を形成している。フェンダ１６は、さらに、外方の側部にフック１６２を有しており、ホルダボディ１０がロッド４２（図１２および図１３参照）に掛けられることが可能となっている。
【００３７】
実用的な使用における第５実施形態の実施例のために、図１２を参照する。開放タイプの保持ラック４０が提供されている。保持ラック４０は、より高い高さに設置されるロッド４２を有している。ホルダボディ１０は、フック１６２によりロッド４２に掛けられ得る。保持ラック４０は、ＣＤ２０のための、吊り下げ式の保管手段になる。
【００３８】
実用的な使用における第５実施形態の他の実施例のために、図１３を参照する。選択的に閉じられ得る容器４１が、ロッド４２を収容するために提供される。容器４１は、ＣＤ２０のための、他のタイプの吊り下げ式の保管手段を提示する。
【００３９】
（第６実施形態）
本考案の第６実施形態のために、図１４、図１５、および図１６を参照する。フェンダ１６は、外方の側部に、２つのフック１６２を有しており、一方、保持ラック４０および容器４１は、２本のロッド４２を有している。こうして、ホルダボディ１０は、フック１６２により水平に２つのロッド４２に掛けられ得る。それは、さらに他のタイプの吊り下げ式のものを提供する。
【００４０】
（第７実施形態）
本考案の第７実施形態のために、図１７を参照する。ホルダボディ１０の側壁１３の外方の側部に、結合部１５１が設置されている。フェンダ１６は、外方の側部に配置されるフック１６２を有している。この実施形態を採用して、ユーザがＣＤ２０を屋外に持ち運びたいとき、ユーザはＣＤ２０をホルダボディ１０に配置し、ホルダボディ１０を結合部１５１によりポータブルなケース３０に結合して、持ち運びを容易にすることができる。ユーザがＣＤ２０を戻すとき、ホルダボディ１０がケース３０から取り外されて、フック１６２により、保持ラック４０に、または容器４１に、掛けられ得る。これは、新規なＣＤ保持および保管方法である。
【００４１】
本考案の好ましい実施形態が開示の目的で記載されている一方で、その他の実施形態と同様に、本考案の開示された実施形態の変形が、当業者に発生し得る。したがって、添付した実用新案登録請求の範囲の請求項は、本考案の精神と範囲から逸脱しないすべての実施形態を包含するものである。
【００４２】
【考案の効果】
以上説明したように、本考案によれば、コンパクトディスクを保持するための、低コストかつ簡易に一体型成形によってワンピースに作られるコンパクトディスクホルダを提供することができる。
【図面の簡単な説明】
【図１】本考案の第１実施形態の斜視図である。
【図２】本考案の第１実施形態の側面図である。
【図３】使用時における本考案の第１実施形態の概略図である。
【図４】使用時における本考案の第１実施形態の概略図である。
【図５】本考案の第２実施形態の斜視図である。
【図６】本考案の第３実施形態の斜視図である。
【図７】本考案の第３実施形態の正面図である。
【図８】使用時における本考案の第３実施形態の概略図である。
【図９】本考案の第４実施形態の斜視図である。
【図１０】使用時における本考案の第４実施形態の概略図である。
【図１１】本考案の第５実施形態の斜視図である。
【図１２】使用時における本考案の第５実施形態の概略図である。
【図１３】使用時における本考案の第５実施形態の他の概略図である。
【図１４】本考案の第６実施形態の斜視図である。
【図１５】使用時における本考案の第６実施形態の概略図である。
【図１６】使用時における本考案の第６実施形態の他の概略図である。
【図１７】本考案の第７実施形態の斜視図である。
【符号の説明】
１０…ホルダボディ、
１０１…正面側の平坦部、
１０２…背面側の平坦部、
１１…突出部、
１２…切欠部、
１３…側壁、
１３１…クリップフランジ、
１４…アーム、
１４１…接続部、
１４２…弾性部、
１４２１…ラッチフラップ、
１４２２…ポーキングフラップ、
１５１…結合部、
１５１１…ノッチ、
１５１２…ラッチバー、
１６…フェンダ、
１６１…扁平面、
１６２…フック、
１６３…開口部、
２０…ＣＤ、
２１…センタ穴、
３０…ケース、
３１…上ケース、
３２…下ケース、
３３…ラッチドック、
３３１…ラッチ爪、
４０…保持ラック、
４１…容器、
４２…ロッド。
【図１】
0003096863.tif 000003
【図２】
0003096863.tif 000004
【図３】
0003096863.tif 000005
【図４】
0003096863.tif 000006
【図５】
0003096863.tif 000007
【図６】
0003096863.tif 000008
【図７】
0003096863.tif 000009
【図８】
0003096863.tif 000010
【図９】
0003096863.tif 000011
【図１０】
0003096863.tif 000012
【図１１】
0003096863.tif 000013
【図１２】
0003096863.tif 000014
【図１３】
0003096863.tif 000015
【図１４】
0003096863.tif 000016
【図１５】
0003096863.tif 000017
【図１６】
0003096863.tif 000018
【図１７】
0003096863.tif 000019